【手続補正書】
【提出日】平成20年9月3日(2008.9.3)
【手続補正１】
【補正対象書類名】明細書
【補正対象項目名】特許請求の範囲
【補正方法】変更
【補正の内容】
【特許請求の範囲】
【請求項１】プログラム選択を受信機へ配信する方法であって、その受信機はネットワークに対して通信可能に接続されて、且つ少なくとも一つのコンテンツプロバイダからプログラム配信を受信するように設定可能であり、前記方法は、
ユーザーからユーザー選好データを受け取る段階と、
受け取ったユーザー選好データに応じてユーザーへプログラム予定を与える段階であり、そのプラグラム予定は選択可能な複数のプログラム選択を列記している段階と、
ユーザーから、ユーザーアカウントへアクセスする遠隔ログイン要請を受信し、そのユーザーからの前記ログイン要請は別個のデバイスを通じてインターネット上で受信される段階と、
インターネットを介してユーザーがユーザーアカウントへアクセスすることを許可する段階と、
プログラム予定を表示するための表示データを前記別個のデバイスへ送信する段階と、
前記別個のデバイスから、前記プログラム選択を選択するための信号を受信する段階と、
前記受信機を選択されたプログラム選択を受信するように設定する段階とを含む方法。
【請求項２】請求項１の方法において、前記受信機が記憶媒体を含み、前記方法は、前記受信機を前記選択されたプログラム配信を受信するように設定する段階を更に含む方法。
【請求項３】請求項１の方法において、前記受信機が前記選択されたプログラム配信を指定時刻に受信するように設定されており、その指定時刻は、コンテンツプロバイダによりプログラム選択が利用可能になるときの時刻に対応する方法。
【請求項４】請求項１の方法において、
複数の付加的なプログラム選択をブラウズするブラウズ要請をユーザーから受け取る段階と、
複数の付加的なプログラム選択を選択用に表示するための表示データを前記別個のデバイスへ送信する段階とを更に含む方法。
【請求項５】請求項１の方法において、前記選択されたプログラム配信をコンテンツプロバイダから前記受信機へ経路指定する段階を更に含む方法。
【請求項６】請求項１の方法において、前記選択されたプログラム配信を他の受信機へ経路指定する段階を更に含む方法。
【請求項７】プログラム選択を複数の受信機の一つへ配信する方法であって、それらの受信機はネットワークに対して通信可能に接続されて、且つ少なくとも一つのコンテンツプロバイダからプログラム配信を受信するように設定可能であり、前記方法は、
ユーザーからユーザー選好データを受け取る段階と、
受け取ったユーザー選好データに応じてユーザーへプログラム予定を与える段階であり、そのプラグラム予定は選択可能な複数のプログラム選択を列記している段階と、
ユーザーから、ユーザーアカウントへアクセスする遠隔ログイン要請を受信し、そのユーザーからの前記ログイン要請は別個のデバイスを通じてインターネット上で受信される段階と、
インターネットを介してユーザーがユーザーアカウントへアクセスすることを許可する段階と、
プログラム予定を表示するための表示データを前記別個のデバイスへ送信する段階と、
前記別個のデバイスから、前記プログラム選択を選択するための信号を受信する段階と、
前記別個のデバイスから前記複数の受信機のうちの一つを指定する指定信号を受信する段階と、
前記指定された受信機を選択されたプログラム選択を受信するように設定する段階とを含む方法。
【請求項８】請求項７の方法において、前記指定された受信機は記憶媒体を含み、前記方法は、前記指定された受信機を前記選択されたプログラム配信を記憶するように設定する段階を更に含む方法。
【請求項９】請求項７の方法において、前記指定された受信機は指定された時刻に前記選択されたプログラム選択を受信するように設定されており、前記指定された時刻は、前記プログラム選択がコンテンツプロバイダにより利用可能になる時刻に対応する方法。
【請求項１０】請求項７の方法において、
複数の付加的なプログラム選択をブラウズするブラウズ要請をユーザーから受け取る段階と、
複数の付加的なプログラム選択を選択用に表示するための表示データを前記別個のデバイスへ送信する段階とを更に含む方法。
【請求項１１】請求項７の方法において、前記選択されたプログラム配信をコンテンツプロバイダから前記指定された受信機へ経路指定する段階を更に含む方法。
【請求項１２】請求項７の方法において、前記選択されたプログラム配信を前記複数の受信機の他の一つへ経路指定する段階を更に含む方法。
【請求項１３】プログラム選択を受信機へ配信するシステムであって、
ネットワークに対して通信可能に接続されて、且つ少なくとも一つのコンテンツプロバイダからプログラム配信を受信するように設定可能な受信機と、
ネットワークに対して通信可能に接続されたサーバーとを備えると共に、
前記サーバーは、
ユーザーから受け取ったユーザー選好データに応じてユーザーへプログラム予定を与え、そのプラグラム予定は選択可能な複数のプログラム選択を列記している手段と、
ユーザーから、ユーザーアカウントへアクセスする遠隔ログイン要請を受信し、そのユーザーからの前記ログイン要請は別個のデバイスを通じてインターネット上で受信される手段と、
インターネットを介してユーザーがユーザーアカウントへアクセスすることを許可する手段と、
プログラム予定を表示するための表示データを前記別個のデバイスへ送信する手段と、
前記別個のデバイスから、前記プログラム選択を選択するための信号を受信する手段と、
前記受信機を選択されたプログラム選択を受信するように設定する手段とを含むシステム。
【請求項１４】請求項１３のシステムにおいて、前記受信機は記憶媒体を含み、前記サーバーは、前記受信機を前記選択されたプログラム配信を記憶するように設定する手段を更に含むシステム。
【請求項１５】請求項１３のシステムにおいて、前記受信機を設定する手段は、前記受信機を指定された時刻に前記選択されたプログラム選択を受信するように設定し、その指定された時刻は、前記プログラム選択がコンテンツプロバイダにより利用可能になる時刻に対応するシステム。
【請求項１６】請求項１３のシステムにおいて、前記サーバーは、
複数の付加的なプログラム選択をブラウズするブラウズ要請をユーザーから受け取る手段と、
複数の付加的なプログラム選択を選択用に表示するための表示データを前記別個のデバイスへ送信する手段とを更に含むシステム。
【請求項１７】請求項１３のシステムにおいて、前記選択されたプログラム配信をコンテンツプロバイダから前記受信機へ経路指定する手段を更に含むシステム。
【請求項１８】請求項１３のシステムにおいて、前記選択されたプログラム配信を他の受信機へ経路指定する段階を更に含む方法。
【請求項１９】請求項１８のシステムにおいて、前記受信機及び前記他の受信機はプライベートネットワークを介して動作可能なように接続されているシステム。
【請求項２０】プログラム選択を受信機へ配信し、その受信機はネットワークに対して通信可能に接続されて、且つ少なくとも一つのコンテンツプロバイダからプログラム配信を受信するように設定可能であるシステムにおいて使用するためのサーバーであって、
ユーザーから受け取ったユーザー選好データに応じてユーザーへプログラム予定を与え、そのプラグラム予定は選択可能な複数のプログラム選択を列記している手段と、
ユーザーから、ユーザーアカウントへアクセスする遠隔ログイン要請を受信し、そのユーザーからの前記ログイン要請は別個のデバイスを通じてインターネット上で受信される手段と、
インターネットを介してユーザーがユーザーアカウントへアクセスすることを許可する手段と、
プログラム予定を表示するための表示データを前記別個のデバイスへ送信する手段と、
前記別個のデバイスから、前記プログラム選択を選択するための信号を受信する手段と、
前記受信機を選択されたプログラム選択を受信するように設定する手段とを含むサーバー。
【請求項２１】請求項２０のサーバーにおいて、前記受信機は記憶媒体を含み、前記サーバーは、前記受信機を前記選択されたプログラム配信を記憶するように設定する手段を更に含むサーバー。
【請求項２２】請求項２０のサーバーにおいて、前記受信機を設定する手段は、前記受信機を指定された時刻に前記選択されたプログラム選択を受信するように設定し、その指定された時刻は、前記プログラム選択がコンテンツプロバイダにより利用可能になる時刻に対応するサーバー。
【請求項２３】請求項２０のサーバーにおいて、前記サーバーは、
複数の付加的なプログラム選択をブラウズするブラウズ要請をユーザーから受け取る手段と、
複数の付加的なプログラム選択を選択用に表示するための表示データを前記別個のデバイスへ送信する手段とを更に含むサーバー。
【請求項２４】請求項２０のサーバーにおいて、前記選択されたプログラム配信をコンテンツプロバイダから前記受信機へ経路指定する手段を更に含むサーバー。
【請求項２５】請求項２０のサーバーにおいて、前記選択されたプログラム配信を他の受信機へ経路指定する手段を更に含むサーバー。
【請求項２６】請求項２５のサーバーにおいて、前記受信機及び前記他の受信機はプライベートネットワークを介して動作可能なように接続されているサーバー。
【請求項２７】プログラム選択を複数の受信機の一つへ配信するサーバーであって、
ユーザーから受け取ったユーザー選好データに応じてユーザーへプログラム予定を与え、そのプラグラム予定は選択可能な複数のプログラム選択を列記している手段と、
ユーザーから、ユーザーアカウントへアクセスする遠隔ログイン要請を受信し、そのユーザーからの前記ログイン要請は別個のデバイスを通じてインターネット上で受信される手段と、
ユーザーにインターネットアクセスを許可する手段と、
プログラム予定を表示するための表示データを前記別個のデバイスへ送信する手段と、
前記別個のデバイスから、前記プログラム選択を選択するための信号を受信する手段と、
前記複数の受信機の少なくとも一つを選択されたプログラム選択を受信するように設定する手段とを備えるサーバー。
【請求項２８】請求項２７のサーバーにおいて、前記受信されたプログラミングを記憶する記憶媒体を更に備えるサーバー。
【請求項２９】請求項２７のサーバーにおいて、前記受信機がパーソナルコンピュータであるサーバー。
【請求項３０】プログラム選択をサーバーへ配信する方法であって、そのサーバーはネットワークに対して通信可能に接続されて、且つ少なくとも一つのコンテンツソースからプログラム配信を受信するように設定可能であり、前記方法は、
ユーザーから、ユーザーアカウントへアクセスする遠隔ログイン要請を受信し、そのユーザーからの前記ログイン要請は別個のデバイスを通じてインターネット上で受信される段階と、
インターネットを介してユーザーアカウントへアクセスすることを許可する段階と、
前記少なくとも一つのコンテンツソースからのプログラム配信を表示するための表示データを前記別個のデバイスへ送信する段階と、
前記別個のデバイスから、選択されたプログラム選択を選択するための選択信号を受信する段階と、
前記コンテンツソースへ、前記選択信号を表すプログラミング選択信号を送信する段階と、
前記コンテンツソースから前記選択されたプログラム選択を受信する段階とを含む方法。
【請求項３１】請求項３０の方法において、前記ネットワークがインターネットである方法。
【請求項３２】請求項３０の方法において、前記ネットワークがLANである方法。
【請求項３３】請求項３０の方法において、前記ネットワークがワイヤレスネットワークである方法。
【請求項３４】請求項３０の方法において、前記選択されたプログラムセレクションを前記別個のデバイスへ送信する段階を更に含む方法。
【請求項３５】請求項３４の方法において、前記選択されたプログラムセレクションの送信がインターネット上で実行される方法。
【請求項３６】請求項３４の方法において、前記選択されたプログラムセレクションの送信がLAN上で実行される方法。
【請求項３７】請求項３４の方法において、前記選択されたプログラムセレクションの送信がワイヤレスネットワーク上で実行される方法。
【請求項３８】請求項３０の方法において、前記コンテンツソースへの前記プログラミング選択信号の送信が赤外線信号の送信により実行される方法。
【請求項３９】請求項３０の方法において、別個のデバイスから受信したユーザーパスワード及びユーザー選好を記憶する段階を更に含む方法。
【請求項４０】プログラム選択をサーバーへ配信する方法であって、そのサーバーはネットワークに対して通信可能に接続されて、且つ複数のコンテンツソースからプログラム配信を受信するように設定可能であり、前記方法は、
ユーザーから、ユーザーアカウントへアクセスする遠隔ログイン要請を受信し、そのユーザーからの前記ログイン要請は別個のデバイスを通じてインターネット上で受信される段階と、
インターネットを介してユーザーアカウントへアクセスすることを許可する段階と、
前記複数のコンテンツソースのうちの一つからのプログラム配信を表示するための表示データを前記別個のデバイスへ送信する段階と、
前記別個のデバイスから、前記複数のコンテンツソースのうちの前記一つを選択するためのソース選択信号を受信する段階と、
前記複数のコンテンツソースのうちの前記一つへ前記複数のコンテンツソースのうちの前記一つを表すコンテンツソース選択信号を送信する段階と、
前記複数のコンテンツソースのうちの前記一つから前記選択されたプログラム選択を受信する段階とを含む方法。
【請求項４１】請求項４０の方法において、前記ネットワークがインターネットである方法。
【請求項４２】請求項４０の方法において、前記ネットワークがLANである方法。
【請求項４３】請求項４０の方法において、前記ネットワークがワイヤレスネットワークである方法。
【請求項４４】請求項４０の方法において、前記選択されたプログラムセレクションを前記別個のデバイスへ送信する段階を更に含む方法。
【請求項４５】請求項４４の方法において、前記選択されたプログラムセレクションの送信がインターネット上で実行される方法。
【請求項４６】請求項４４の方法において、前記選択されたプログラムセレクションの送信がLAN上で実行される方法。
【請求項４７】請求項４４の方法において、前記選択されたプログラムセレクションの送信がワイヤレスネットワーク上で実行される方法。
【請求項４８】請求項４０の方法において、前記個別のデバイスからのソース選択信号の受信が、インターネット上で受信される方法。
【請求項４９】請求項４０の方法において、前記個別のデバイスからのソース選択信号の受信が、LAN上で受信される方法。
【請求項５０】請求項４０の方法において、前記個別のデバイスからのソース選択信号の受信が、ワイヤレスネットワークで受信される方法。
【請求項５１】請求項４０の方法において、前記複数のコンテンツソースのうちの前記一つへのプログラミング選択信号の送信が赤外線信号の生成により実行される方法。
【請求項５２】コンテンツソースからプログラム選択を別個のデバイスへ配信するシステムであって、このシステムは、
（ａ）サーバーを備え、このサーバーは、
別個のデバイスからユーザーアカウントへアクセスする遠隔ログイン要請を受信する認証サーバーと、
前記遠隔ログイン要請に応じて別個のデバイスからユーザーアカウントへインターネットを介してのアクセス及びユーザーにより起動されたプログラミング選択信号に応じてコンテンツソースからのプログラム配信の選択を可能とするＣＰＵインターフェースと、
前記ＣＰＵインターフェースにより可能になったプログラム配信を前記別個のデバイスへ変換及び送信するためのメディア配信システムとを含み、
（ｂ）前記システムは、前記サーバーを制御する制御デバイスを更に備え、この制御デバイスは、
（ｉ）サーバーがユーザーアカウントへ許可すると、このサーバーから送信されたプログラム配信を表示させるディスプレイウィンドウと、（ｉｉ）プログラミング選択信号に応じて前記コンテンツソースからのプログラム配信を可能にするために、ユーザーに前記サーバーと対話させるように前記ディスプレイウィンドウと共に使用するためのグラフィカルオーバーレイとを含むグラフィカルユーザーインターフェースと、
前記プログラム配信及び前記グラフィカルオーバーレイとからなるグラフィカルディスプレイデータフレームを生成するためのインターフェースディスプレイロジックとを含むシステム。    
【請求項５３】請求項５２のシステムにおいて、前記サーバーは前記別個のデバイスから受信したユーザーパスワード及びユーザー選好を記憶するための遠隔記憶ユニットを更に含むシステム。
【請求項５４】請求項５２のシステムにおいて、前記制御デバイスは、別個のデバイスから受信したユーザーパスワード及びユーザー選好を記憶させる局所的記憶ユニットを更に含むシステム。  
【請求項５５】複数のコンテンツソースからプログラム選択を複数の別個のデバイスへ配信するシステムであって、このシステムは、
（ａ）サーバーを備え、このサーバーは、
前記複数の別個のデバイスの少なくとも一つからユーザーアカウントへアクセスする遠隔ログイン要請を受信する認証サーバーと、
前記複数の別個のデバイスの前記少なくとも一つから、（ｉ）ユーザーアカウントへインターネットを介してのアクセス、（ｉｉ）ソース選択信号に応じて複数のコンテンツソースの一つの選択、及び（ｉｉｉ）プログラミング選択信号に応じて前記複数のコンテンツソースの前記一つからのプログラム配信の選択を可能とするＣＰＵインターフェースと、
前記ＣＰＵインターフェースにより可能になったプログラム配信を前記複数の別個のデバイスの前記少なくとも一つへ変換及び送信するためのメディア配信システムとを含み、
（ｂ）前記システムは、前記サーバーを制御する制御デバイスを更に備え、この制御デバイスは、
（ｉ）サーバーがユーザーアカウントへ許可すると、このサーバーから送信されたプログラム配信を表示させるディスプレイウィンドウと、（ｉｉ）プログラミング選択信号に応じて前記複数のコンテンツソースの前記一つからのプログラム配信を可能にするために、ユーザーに前記サーバーと対話させるように前記ディスプレイウィンドウと共に使用するためのグラフィカルオーバーレイとを含むグラフィカルユーザーインターフェースと、
前記プログラム配信及び前記グラフィカルオーバーレイとからなるグラフィカルディスプレイデータフレームを生成するためのインターフェースディスプレイロジックとを含むシステム。
【請求項５６】請求項５５のシステムにおいて、前記サーバーは前記複数の別個のデバイスの前記少なくとも一つから受信したユーザーパスワード及びユーザー選好を記憶するための遠隔記憶ユニットを更に含むシステム。
【請求項５７】請求項５２のシステムにおいて、前記制御デバイスは、前記複数の別個のデバイスの前記少なくとも一つから受信したユーザーパスワード及びユーザー選好を記憶させる局所的記憶ユニットを更に含むシステム。